(57)【特許請求の範囲】
【請求項１】
来るべきデータ送信について近隣デバイスに通知するための方法であって、
スケジュールされた時間を得ることと、
前記スケジュールされた時間の固定期間内にレガシー保護フレームを送信することと、
を備え、前記レガシー保護フレームは、前記近隣デバイスによって復号されることができ、かつ前記レガシー保護フレームは、送信可（ＣＴＳ）フレームを備え、前記ＣＴＳフレームの送信は１対のデバイスによって行われる、方法。
【請求項２】
前記データ送信は、長距離（ＬＲ）データ送信である、請求項１に記載の方法。
【請求項３】
前記固定期間の後に長距離（ＬＲ）データ送信を送信すること、をさらに備える請求項２に記載の方法。
【請求項４】
前記固定期間の後に長距離（ＬＲ）データ送信を受信すること、をさらに備える請求項２に記載の方法。
【請求項５】
前記レガシー保護フレームは、バックオフ期間の後に送信される、請求項１に記載の方法。
【請求項６】
前記バックオフ期間は、固定されている、請求項５に記載の方法。
【請求項７】
前記の得ることと、前記の送信することとは、アクセスポイント（ＡＰ）によって実行される、請求項１に記載の方法。
【請求項８】
前記ＡＰは、８０２．１１ｎデバイスを備える、請求項７に記載の方法。
【請求項９】
前記の得ることと、前記の送信することとは、加入者局（ＳＴＡ）によって実行される、請求項１に記載の方法。
【請求項１０】
前記ＳＴＡは、８０２．１１ｎデバイスを備える、請求項９に記載の方法。
【請求項１１】
前記近隣デバイスは、８０２．１１ｎデバイスではない、請求項１に記載の方法。
【請求項１２】
前記レガシー保護フレームは、ネットワーク割付けベクトル（ＮＡＶ）を設定する、請求項１に記載の方法。
【請求項１３】
前記ＣＴＳフレームは、ネットワーク割付けベクトル（ＮＡＶ）を設定する、請求項１に記載の方法。
【請求項１４】
前記レガシー保護フレームは、前記近隣デバイスが、ある期間にわたって送信しないようにさせる、請求項１に記載の方法。
【請求項１５】
前記ＮＡＶは、前記固定期間よりも長い、請求項１３に記載の方法。
【請求項１６】
前記固定期間は、前記レガシー保護フレームを送信するのに必要とされる時間よりも長い、請求項１に記載の方法。
【請求項１７】
一対のデバイスによって実行される請求項１に記載の方法。
【請求項１８】
来るべき長距離（ＬＲ）データ送信について近隣デバイスに通知するように構成された無線デバイスであって、
プロセッサと、
前記プロセッサに結合され、
スケジュールされた時間を得るように、そして
前記スケジュールされた時間の固定期間内にレガシー保護フレームを送信するように、構成された
回路と、
を備え、前記レガシー保護フレームは、前記近隣デバイスによって復号されることができ、かつ前記レガシー保護フレームは、送信可（ＣＴＳ）フレームを備え、前記ＣＴＳフレームの送信は１対のデバイスによって行われる、無線デバイス。
【請求項１９】
前記固定期間の後にＬＲデータ送信を送信するように構成された回路、をさらに備える請求項１８に記載の無線デバイス。
【請求項２０】
前記レガシー保護フレームは、バックオフ期間の後に送信される、請求項１８に記載の無線デバイス。
【請求項２１】
前記固定期間の後に通常データ送信を送信するように構成された回路、をさらに備える請求項１８に記載の無線デバイス。
【請求項２２】
アクセスポイント（ＡＰ）を備える請求項１８に記載の無線デバイス。
【請求項２３】
前記ＡＰは、８０２．１１ｎデバイスを備える、請求項２２に記載の無線デバイス。
【請求項２４】
加入者局（ＳＴＡ）を備える請求項１８に記載の無線デバイス。
【請求項２５】
前記ＳＴＡは、８０２．１１ｎデバイスを備える、請求項２４に記載の無線デバイス。
【請求項２６】
前記近隣デバイスは、８０２．１１ｎデバイスではない、請求項１８に記載の無線デバイス。
【請求項２７】
前記レガシー保護フレームは、ネットワーク割付けベクトル（ＮＡＶ）を設定する、請求項１８に記載の無線デバイス。
【請求項２８】
前記ＣＴＳフレームは、ネットワーク割付けベクトル（ＮＡＶ）を設定する、請求項１８に記載の無線デバイス。
【請求項２９】
前記レガシー保護フレームは、前記近隣デバイスが、ある期間にわたって送信しないようにさせる、請求項１８に記載の無線デバイス。
【請求項３０】
前記ＮＡＶは、前記固定期間よりも長い、請求項２８に記載の無線デバイス。
【請求項３１】
前記固定期間は、前記レガシー保護フレームを送信するのに必要とされる時間よりも長い、請求項１８に記載の無線デバイス。
【請求項３２】
来るべき長距離（ＬＲ）データ送信について近隣デバイスに通知するように構成された装置であって、
スケジュールされた時間を得るための手段と、
前記スケジュールされた時間の固定期間内にレガシー保護フレームを送信するための手段と、
を備え、前記レガシー保護フレームは、前記近隣デバイスによって復号されることができ、かつ前記レガシー保護フレームは、送信可（ＣＴＳ）フレームを備え、前記ＣＴＳフレームの送信は１対のデバイスによって行われる、装置。
【請求項３３】
前記固定期間の後にＬＲデータ送信を送信するための手段、をさらに備える請求項３２に記載の装置。
【請求項３４】
前記レガシー保護フレームは、バックオフ期間の後に送信される、請求項３２に記載の装置。
【請求項３５】
前記固定期間の後に通常データ送信を送信するための手段、をさらに備える請求項３２に記載の装置。
【請求項３６】
得るための前記手段と、送信するための前記手段とは、アクセスポイント（ＡＰ）によって実行される、請求項３２に記載の装置。
【請求項３７】
前記ＡＰは、８０２．１１ｎデバイスを備える、請求項３６に記載の装置。
【請求項３８】
得るための前記手段と、送信するための前記手段とは、加入者局（ＳＴＡ）によって実行される、請求項３２に記載の装置。
【請求項３９】
前記ＳＴＡは、８０２．１１ｎデバイスを備える、請求項３８に記載の装置。
【請求項４０】
前記近隣デバイスは、８０２．１１ｎデバイスではない、請求項３２に記載の装置。
【請求項４１】
前記レガシー保護フレームは、ネットワーク割付けベクトル（ＮＡＶ）を設定する、請求項３２に記載の装置。
【請求項４２】
前記ＣＴＳフレームは、ネットワーク割付けベクトル（ＮＡＶ）を設定する、請求項３２に記載の装置。
【請求項４３】
前記レガシー保護フレームは、前記近隣デバイスが、ある期間にわたって送信しないようにさせる、請求項３２に記載の装置。
【請求項４４】
前記ＮＡＶは、前記固定期間よりも長い、請求項４２に記載の装置。
【請求項４５】
前記固定期間は、前記レガシー保護フレームを送信するのに必要とされる時間よりも長い、請求項３２に記載の装置。
【請求項４６】
来るべき長距離（ＬＲ）データ送信について近隣デバイスに通知するためのコンピュータ可読記憶媒体であって、前記コンピュータ可読記憶媒体はその上に命令を有し、
前記命令は、
スケジュールされた時間を得るためのコードと、
前記スケジュールされた時間の固定期間内にレガシー保護フレームを送信するためのコードと、
を備え、前記レガシー保護フレームは、前記近隣デバイスによって復号されることができ、かつ前記レガシー保護フレームは、送信可（ＣＴＳ）フレームを備え、前記ＣＴＳフレームの送信は１対のデバイスによって行われる、コンピュータ可読記憶媒体。
【請求項４７】
前記の得ることと、前記の送信することとは、前記固定期間の後に長距離（ＬＲ）データ送信を送信するデバイスによって実行される、請求項４６に記載のコンピュータ可読記憶媒体。
【請求項４８】
前記の得ることと、前記の送信することとは、前記固定期間の後に長距離（ＬＲ）データ送信を受信するデバイスによって実行される、請求項４７に記載のコンピュータ可読記憶媒体。
【発明の詳細な説明】
【技術分野】
【０００１】
[関連出願]
本願は、２００８年８月２０日に出願された「スケジュールされたレガシー保護フレームのためのシステムおよび方法(Systems and Methods for a Scheduled Legacy Protection Frame)」という名称の米国仮特許出願第６１／０９０，３８２号に関連しており、そしてその優先権を主張するものである。
【０００２】
本開示は、一般に無線通信システムに関する。より詳細には、本開示は、無線デバイスについてのスケジュールされたレガシー保護フレームを提供するためのシステムおよび方法に関する。
【背景技術】
【０００３】
無線通信デバイスは、消費者ニーズを満たすために、そして携帯性および便利さを改善するために、より小型に、そしてより強力になってきている。消費者は、セルラー電話、携帯情報端末（ＰＤＡ）、ラップトップコンピュータなどの無線通信デバイスに依存するようになってきている。消費者は、信頼できるサービスと、カバレージの拡大されたエリアと、増大された機能とを期待するようになってきている。無線通信デバイスは、移動局、加入者局、アクセス端末、リモート局、ユーザ端末、端末、加入者ユニット、ユーザ装置などと称されることができる。
【０００４】
無線通信システムは、いくつかのセルに対して通信を提供することができ、これらのセルのおのおのは、基地局によってサービスされることができる。基地局は、加入者局と通信する固定局とすることができる。基地局は、代わりに、アクセスポイント、または何らかの他の専門用語として呼称されることもある。
【０００５】
加入者局は、アップリンクおよびダウンリンク上の送信を経由して１つまたは複数の基地局と通信することができる。アップリンク（または逆方向リンク）は、加入者局から基地局への通信リンクを意味し、そしてダウンリンク（または順方向リンク）は、基地局から加入者局への通信リンクを意味する。無線通信システムは、複数の(multiple)加入者局についての通信を同時にサポートすることができる。
【０００６】
無線通信システムのリソース（例えば、帯域幅および送信パワー）は、複数の移動局の間で、共用されることができる。様々な多元接続技法が、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、単一キャリア周波数分割多元接続（ＳＣ−ＦＤＭＡ）などを含めて、知られている。
【０００７】
利点は、無線通信システムのオペレーションに関連した改善された方法および装置によって実現されることができる。
【図面の簡単な説明】
【０００８】
【図１】図１は、２つの長距離(long range)（ＬＲ）デバイスＡおよびＢと、２つのレガシーデバイスＣおよびＤとを含む無線通信のためのシステムを示している。
【図２】図２は、ＬＲデバイスＡ（ＬＲ）と、ＬＲデバイスＢ（ＬＲ）と、レガシーデバイスＣ（レガシー）とを伴う送信スキームを示している。
【図３】図３は、ＬＲデバイスＡ（ＬＲ）と、ＬＲデバイスＢ（ＬＲ）と、レガシーデバイスＣ（レガシー）とを伴う代替送信スキームを示している。
【図４】図４は、スケジュールされたレガシー保護フレームを提供するための方法についての流れ図を示している。
【図５】図５は、図４の方法に対応する機能手段ブロック(means-plus-function blocks)を示している。
【図６】図６は、スケジュールされたレガシー保護フレームを提供するための代替方法についての流れ図を示している。
【図７】図７は、図６の方法に対応する機能手段ブロックを示している。
【図８】図８は、無線デバイスの中で利用されることができる様々なコンポーネントを示している。
【詳細な説明】
【０００９】
来るべき長距離(long range)（ＬＲ）データ送信について近隣デバイスに通知するための方法が、説明される。スケジュールされた時間が得られる。レガシー保護フレームが、スケジュールされた時間の固定期間内に送信される。レガシー保護フレームは、近隣デバイスによって復号されることができる。
【００１０】
レガシー保護フレームは、送信可(clear-to-send)（ＣＴＳ）フレームを含むことができる。長距離（ＬＲ）データ送信は、固定期間の後に送信されることができる。レガシー保護フレームは、バックオフ期間の後に送信されることができる。バックオフ期間は、固定されていることができる。
【００１１】
得ることと、送信することとは、アクセスポイント（ＡＰ）によって実行されることができる。ＡＰは、８０２．１１ｎデバイスとすることができる。得ることと、送信することとはまた、加入者局（ＳＴＡ）によって実行されることもできる。ＳＴＡは、８０２．１１ｎデバイスとすることができる。近隣デバイスは、８０２．１１ｎデバイスでなくてもよい。
【００１２】
レガシー保護フレームは、ネットワーク割付けベクトル(network allocation vector)（ＮＡＶ）を設定することができる。ＣＴＳフレームは、ネットワーク割付けベクトル（ＮＡＶ）を設定することができる。レガシー保護フレームは、近隣デバイスに、ある期間にわたって送信しないようにさせることができる。ＮＡＶは、固定期間よりも長くすることができる。固定期間は、レガシー保護フレームを送信するのに必要とされる時間よりも長くすることができる。本方法は、一対のデバイスによって実行されることができる。
【００１３】
来るべき長距離（ＬＲ）データ送信について近隣デバイスに通知するように構成された無線デバイスもまた、説明される。無線デバイスは、プロセッサと、そのプロセッサに結合された回路と、を含む。その回路は、スケジュールされた時間を得るように構成されている。回路はまた、固定期間内にレガシー保護フレームを送信するように構成されてもいる。レガシー保護フレームは、近隣デバイスによって復号されることができる。
【００１４】
来るべき長距離（ＬＲ）データ送信について近隣デバイスに通知するように構成された装置もまた、説明される。本装置は、スケジュールされた時間を得るための手段を含んでいる。本装置はまた、固定期間内にレガシー保護フレームを送信するための手段を含んでいる。レガシー保護フレームは、近隣デバイスによって復号されることができる。
【００１５】
来るべき長距離（ＬＲ）データ送信について近隣デバイスに通知するためのコンピュータプログラムプロダクト(computer-program product)もまた、説明される。コンピュータプログラムプロダクトは、その上に命令を有するコンピュータ可読媒体(computer-readable medium)を含むことができる。それらの命令は、スケジュールされた時間を得るためのコードを含んでいる。命令はまた、固定期間内にレガシー保護フレームを送信するためのコードを含んでいる。レガシー保護フレームは、近隣デバイスによって復号されることができる。
【００１６】
米電気電子技術者協会(Institute of Electronic and Electrical Engineers)（ＩＥＥＥ）８０２．１１作業グループ(Working Group)は、無線ローカルエリアネットワーク（ＷＬＡＮ）コンピュータ通信についての公式規格を作成することを目的とする。ＩＥＥＥ８０２．１１ｎは、ＩＥＥＥ８０２．１１−２００７無線ネットワーク規格に対する提案された修正である。ＩＥＥＥ８０２．１１ｎは、以前のＩＥＥＥ８０２．１１規格よりもネットワークスループットをかなり改善するように意図される。ここにおいて開示される技法は、ＩＥＥＥ８０２．１１ｎを含めて、ＩＥＥＥ８０２．１１規格に従って構成されたデバイスの中でインプリメントされることができる。
【００１７】
無線通信システムの中の異なる無線デバイスは、異なる規格、またはＩＥＥＥ８０２．１１規格など、同じ規格の異なる変形と準拠していることができ、あるいはそれらは、規格の独自の拡張をサポートすることができる。ＩＥＥＥ８０２．１１規格の複合バージョンと準拠しており、または独自の拡張をサポートするデバイスが、同じＷＬＡＮの中にあるとき、旧バージョンと準拠しており、または独自の拡張をサポートしていないデバイスは、レガシーデバイスであるものと考えられる。レガシーデバイスとの後方互換性を保証するために、特定のメカニズムは、規格のより新しいバージョンと準拠しており、または独自の拡張を使用するデバイスが、いつ衝突を回避するために無線チャネルを使用しているかについてレガシーデバイスが知ることを保証するために使用されることができる。本開示は、一般に、より新しい８０２．１１技術とレガシーデバイスとを利用するデバイスの間の干渉を防止することに関する。
【００１８】
いくつかの状況の下では、ＩＥＥＥ８０２．１１デバイスは、長距離無線通信のために長距離物理レイヤ(physical layer)（ＰＨＹ）モードを利用することができる。しかしながら、長距離ＰＨＹモードは、レガシーデバイスの場合に復号可能でなくてもよい。この状況においては、長距離送信が、待ち状態であることをレガシーデバイスに通知することが望ましいことがありうる。
【００１９】
本開示は、スケジュールされたレガシー保護フレームを使用してこの問題に対処することを提案しており、このレガシー保護フレームは、スケジュールされた送信可（ＣＴＳ）フレームを含むことができる。スケジュールされたＣＴＳフレームを用いて、両方の長距離（ＬＲ）局は、第１のＬＲ送信によって固定時間の後に追随されるスケジュールされた瞬間（バックオフにより先行される）に、レガシーＣＴＳフレームを送信しようと試みる。固定時間は、ＣＴＳ送信の一方または両方が、チャネル使用中の状態に起因して遅延されることを可能にするために、ＣＴＳフレームを送信するのに必要とされる時間よりも長くすることが（ずっと長くはないにせよ）できる。ＣＴＳフレームは、両側で「保護された」ＬＲ送信機会(transmission opportunity)（ＴＸＯＰ）について媒体をクリアし、その間に、ＬＲフレームは、交換されることができる。利点は、レガシー保護が、両側で多かれ少なかれ同時に起こることである。
【００２０】
図１は、２つの長距離（ＬＲ）デバイス１０２、１０４と、２つのレガシーデバイス１０６、１０８とを含む、無線通信のためのシステム１００を示している。ＬＲデバイスＡ１０２は、ＬＲデバイスＡ１０２が、レガシーデバイスＤ１０６の通信範囲内にあるので、レガシーデバイスＤ１０６と無線電子通信している。ＬＲデバイスＡ１０２は、別のＬＲデバイスＢ１０４と長距離無線電子通信している。ＬＲデバイスＢ１０４は、ＬＲデバイスＢ１０４が、レガシーデバイスＣ１０８の通信範囲内にあるので、レガシーデバイスＣ１０８と無線電子通信している。示されてはいないが、システム１００は、図１に示される２つのＬＲデバイス１０２、１０４よりも多くのものを含むことができる。さらに、示されてはいないが、ＬＲデバイス１０２、１０４のおのおのは、複数のレガシーデバイス１０６、１０８と電子通信している可能性がある。
【００２１】
ＬＲデバイス１０２、１０４は、アクセスポイント（ＡＰ）または加入者局（ＳＴＡ）とすることができる。アクセスポイントは、基地局とすることができる。加入者局は、モバイル電話や無線ネットワーキングカードなどの移動局とすることができる。例えば、ＬＲデバイスＡ１０２は、アクセスポイントとすることができ、そしてＬＲデバイスＢ１０４は、加入者局とすることができる。別の例としては、ＬＲデバイスＡ１０２は、加入者局とすることができ、そしてＬＲデバイスＢ１０４も、加入者局とすることもできる。第３の例として、ＬＲデバイスＡ１０２は、アクセスポイントとすることができ、そしてＬＲデバイスＢ１０４も、アクセスポイントとすることもできる。レガシーデバイス１０６、１０８は、長距離電子通信１０３のできないデバイスであり、そしてアクセスポイント、加入者局、またはそれらの組合せとすることができる。
【００２２】
ＬＲデバイス１０２、１０４は、ＬＲデバイス１０２、１０４の範囲内にあるレガシーデバイス１０６、１０８のおのおのと通信することができる。例えば、ＬＲデバイスＡ１０２は、ＬＲデバイスＡ１０２の範囲内にあるレガシーデバイスＤ１０６と通信することができるが、レガシーデバイスＣ１０８が、ＬＲデバイスＡ１０２の範囲外にある場合には、レガシーデバイスＣ１０８と通信することができない。
【００２３】
図２は、ＬＲデバイスＡ（ＬＲ）２０２と、ＬＲデバイスＢ（ＬＲ）２０４と、レガシーデバイスＣ（レガシー）２０８とを伴う送信スキームを示している。このシステムにおいては、Ｃ（レガシー）２０８は、Ｂ（ＬＲ）２０４と通信する範囲内にあるだけである。スケジュールされた時間２２２において、固定時間２１０のウィンドウが開始される。スケジュールされた時間２２２は、Ａ（ＬＲ）２０２、Ｂ（ＬＲ）２０４、またはそれらの両方のいずれかによってあらかじめ決定されることができる。スケジュールされた時間２２２は、別のデバイス（図示されず）によってＡ（ＬＲ）２０２とＢ（ＬＲ）２０４とに提供されることもでき、あるいはスケジュールされた時間２２２は、手動で設定されることもできる。スケジュールされた時間２２２は、固定時間フレーム２１０の始まりを示すことができる。スケジュールされた時間２２２はまた、固定時間フレーム２１０の長さを示すこともできる。例えば、Ａ（ＬＲ）２０２とＢ（ＬＲ）２０４との両方は、スケジュールされた時間２２２と、固定時間２１０の長さとの両方を知っていることができる。Ｃ（レガシー）２０８は、スケジュールされた時間２２２、または固定時間２１０の長さについて知らないでいることができる。
【００２４】
スケジュールされた時間２２２には、待ち状態のＬＲデータ送信２２６が存在することもできる。ＬＲデータ送信２２６は、２つ以上のＬＲデバイス２０２、２０４の間で起こることができる。図２において、ＬＲデータ送信２２６は、Ａ（ＬＲ）２０２からＢ（ＬＲ）２０４へのものである。レガシーデバイス２０８は、待ち状態のＬＲデータ送信２２６について知らない可能性がある。したがって、Ｃ（レガシー）２０８は、ＬＲデータ送信２２６が起こる間に、Ｂ（ＬＲ）２０２と通信しようと試みる可能性がある。代わりに、Ｃ（レガシー）２０８は、ＬＲデータ送信２２６中にＢ（ＬＲ）２０４の範囲内にある他のデバイスと通信しようと試みる可能性もある。通信しようとするそのような試みは、ＬＲデータ送信２２６に対して衝突と可能性のある故障とを引き起こす可能性がある。
【００２５】
固定時間２１０内に、Ａ（ＬＲ）２０２とＢ（ＬＲ）２０４とは、おのおの、ＬＲデバイス２０２、２０４のおのおのの範囲内にあるレガシーデバイス２０８によって受信されることになる送信可（ＣＴＳ）フレーム２１６、２１８を送信することができる。ＣＴＳフレーム２１６、２１８は、レガシーデバイス２０８が、受信し、そして解釈することができるレガシーＣＴＳフレームとすることができる。ＣＴＳフレーム２１６、２１８はまた、レガシーフレームとすることもできる。デバイスは、ＣＴＳ２１６、２１８を送信することに先立って、指定されたバックオフ時間２１２を待つことが必要とされる可能性がある。バックオフ時間２１２は、衝突を防止することができる。バックオフ時間２１２は、ランダムな、または固定されたバックオフ時間とすることができる。バックオフ時間２１２は、分布協調機能フレーム間空間(Distributed Coordination Function Interframe Space)（ＤＩＦＳ）、またはポイント協調機能フレーム間空間(Point Coordination Function Interframe Space)（ＤＩＦＳ）とすることができる。ＣＴＳ２１６、２１８は、その間にレガシーデバイス２０８が通信することができない時間フレームを定義する、レガシーデバイス２０８についてのネットワーク割付けベクトル（ＮＡＶ）２２４を定義することができる。ＮＡＶ２２４は、ＬＲデータ送信２２６と、対応するＬＲ肯定応答（ＡＣＫ）２２８との両方を完了するために必要とされる時間フレームを定義することができる。したがって、Ｂ（ＬＲ）２０４は、待ち状態のＬＲデータ送信２２６を示すＣＴＳフレーム２１８をＣ（レガシー）２０８へと送信することができる。
【００２６】
レガシーデバイス２０８は、スケジュールされた時間２２２が起こるときに電子通信している可能性がある。例えば、Ｃ（レガシー）２０８は、スケジュールされた時間２２２が起こるときに送信機会（ＴＸＯＰ）２２０に参加している。Ｃ（レガシー）２０８は、電子通信しているので、Ｂ（ＬＲ）２０４は、ＴＸＯＰ２２０との衝突を回避するためにＣＴＳ２１８を送信する前にＴＸＯＰ２２０が完了するまで、待つことができる。しかしながら、Ｃ（レガシー）２０８は、Ａ（ＬＲ）２０２の範囲内にない可能性がある。それ故に、図２において、Ａ（ＬＲ）２０２は、Ａ（ＬＲ）２０２からのＣＴＳ２１６がＴＸＯＰ２２０との衝突を引き起こすリスクがないので、Ｃ（レガシー）２０８が、ＴＸＯＰ２２０の中で通信している間に、ＣＴＳ２１６を送信することができる。
【００２７】
したがって、Ｃ（レガシー）２０８が参加しているＴＸＯＰ２２０が終了しているときに、Ｂ（ＬＲ）２０４は、必須のバックオフ時間２１２を待ち、そして次いでＣＴＳフレーム２１８を送信することができる。上記で論じられるように、ＣＴＳフレーム２１８は、ＬＲデバイス２０４の範囲内にある１つまたは複数のレガシーデバイス２０８によって受信されることができる。それ故に、Ｂ（ＬＲ）２０４から送信されるＣＴＳフレーム２１８は、Ｂ（ＬＲ）２０４の範囲内の他の無線デバイスと一緒にＣ（レガシー）２０８によって受信されることができる。
【００２８】
ひとたびＣＴＳフレーム２１６、２１８が送信された後に、ＬＲデバイス２０２、２０４は、固定時間２１０が満了するまでアイドルする（２１４）ことができる。ひとたび固定時間２１０が満了した後に、ＬＲデータ送信２２６は、開始することができる。ＬＲデータ送信２２６中に、ＬＲデバイス２０２、２０４は、ＬＲ信号上で別のＬＲデバイスへとデータを送信することができる。受信するＬＲデバイスは、完了されたＬＲデータ送信２２６を受信するとすぐにＬＲ  ＡＣＫ２２８を送信することができる。したがって、図２において、Ａ（ＬＲ）２０２は、ＬＲデータ送信２２６をＢ（ＬＲ）２０４へと送信し、そしてＢ（ＬＲ）２０４は、ＬＲデータ送信２２６を正常に受信するとすぐにＬＲ  ＡＣＫ２２８をＡ（ＬＲ）２０２へと送信する。ＬＲデータ送信２２６と、付随するＬＲ  ＡＣＫ２２８とは、レガシーデバイス２０８からの衝突回避を保証するために、定義されたＮＡＶ２２４中に完了する。
【００２９】
ＬＲデバイス２０２、２０４のうちの一方または両方が、固定時間２１０中にＣＴＳフレーム２１６、２１８を送信することを完了することに失敗する場合、ＬＲデータ送信２２６は、失敗する可能性がある。例えば、Ｂ（ＬＲ）２０４が、固定時間２１０の満了の前にＣ（レガシー）２０８へのＣＴＳフレーム２１８の送信を完了することに失敗する場合、Ａ（ＬＲ）２０２は、ＬＲデータ送信２２６を送信することを開始することができ、そしてＣ（レガシー）２０８は、ＬＲデータ送信２２６中に通信しようと試み、それによって衝突を引き起こす可能性がある。固定時間２１０の長さは、それ故に、Ａ（ＬＲ）２０２と、Ｂ（ＬＲ）２０４とが、固定時間２１０の満了の前にＣＴＳフレーム２１６、２１８の送信を完了することを最適に可能にするように静的または動的に調整されることができる。固定時間２１０は、その間に送信２２６が起こらない長い、そして無駄なアイドル時間２１４を回避するように調整されることもできる。
【００３０】
図３は、ＬＲデバイスＡ（ＬＲ）３０２と、ＬＲデバイスＢ（ＬＲ）３０４と、レガシーデバイスＣ（レガシー）３０８とを伴う代替送信スキームを示している。Ｃ（レガシー）３０８は、スケジュールされた時間３２２に先立って通信することを完了することができる。図３において、Ｃ（レガシー）３０８が送信３２６中に通信するＴＸＯＰ３２０は、スケジュールされた時間３２２に先行して完了しており、そしてそれ故に、Ｂ（ＬＲ）３０４は、固定時間３１０のウィンドウ中にＣＴＳフレーム３１８を送信する前に追加の時間を待つ必要はない。したがって、Ａ（ＬＲ）３０２と、Ｂ（ＬＲ）３０４とは、必須のバックオフ時間３１２の後にそれぞれのＣＴＳフレーム３１６、３１８を同時に送信することができる。次いで、Ａ（ＬＲ）３０２と、Ｂ（ＬＲ）３０４とは、Ａ（ＬＲ）３０２がＬＲデータ送信３２６を送信し、そしてＢ（ＬＲ）３０４がＬＲ  ＡＣＫ３２８を送信する前に、固定時間３１０が満了するまで、アイドルする（３１４）ことができる。Ｃ（レガシー）３０８は、Ｂ（ＬＲ）３０４からＣＴＳフレーム３１８を受信することができ、そしてＬＲデータ送信２２６中に通信するのをやめるようにＮＡＶ３２４を設定することができる。
【００３１】
図４は、ＬＲデバイス２０２、２０４についてのスケジュールされたレガシー保護フレームのための方法４００についての流れ図を示している。ＬＲデバイス２０２、２０４は、ＬＲデータ送信２２６に対応することができるスケジュールされた時間２２２を得る（４０２）ことができる。ＬＲデータ送信２２６は、スケジュールされた時間２２２の後の固定時間２１０に起こることができる。ＬＲデバイス２０２、２０４は、固定期間２１０内にレガシー保護フレームをローカルレガシーデバイス２０８へと送信する（４０４）ことができる。レガシー保護フレームは、ローカルレガシーデバイス２０８が、その間に無線電子通信をやめるべきである期間２２４を定義することができる。次いで、ＬＲデバイス２０２、２０４は、固定期間２１０の後にＬＲデータ送信２２６を１つまたは複数のＬＲデバイス２０２、２０４へと送信する（４０６）ことができる。
【００３２】
上記で説明される図４の方法４００は、図５に示される機能手段ブロック５００に対応する様々なハードウェア、ソフトウェアコンポーネント（単数または複数）、および／またはモジュール（単数または複数）によって実行されることができる。言い換えれば、図４に示されるブロック４０２ないし４０６は、図５に示される機能手段ブロック５０２ないし５０６に対応する。
【００３３】
図６は、ＬＲデバイス２０２、２０４についてのスケジュールされたレガシー保護フレームのための代替方法６００についての流れ図を示している。ＬＲデバイス２０２、２０４は、待ち状態にあるＬＲデータ送信２２６に対応することができるスケジュールされた時間２２２を得る（６０２）ことができる。図４に関連して上記で論じられるように、ＬＲデータ送信２２６は、スケジュールされた時間２２２の後の固定時間２１０に起こることができる。次いで、ＬＲデバイス２０２、２０４は、ローカルレガシーデバイス２０８によって受信される送信可（ＣＴＳ）フレーム２１６、２１８を送信する（６０４）ことができる。ＣＴＳフレーム２１６、２１８は、固定期間２１０内に送信されるべきである。ＣＴＳフレーム２１６、２１８は、レガシーデバイス２０８によって復号されることができるフォーマットにすることができる。ＣＴＳフレーム２１６、２１８は、その間にローカルレガシーデバイス２０８が、無線電子通信をやめるべきである期間２２４を定義することができる。ひとたび固定期間２１０が満了した後に、ＬＲデバイス２０２、２０４は、ＬＲデータ送信２２６を送信する（６０６）ことができる。ＬＲデータ送信２２６の完了のすぐ後に、ＬＲデバイス２０２、２０４は、１つまたは複数の受信するＬＲデバイス２０２、２０４からＬＲ  ＡＣＫ２２８を受信する（６０８）ことができる。
【００３４】
上記で論じられる図６の方法６００は、図７に示される機能手段ブロック７００に対応する様々なハードウェア、ソフトウェアコンポーネント（単数または複数）、および／またはモジュール（単数または複数）によって実行されることができる。言い換えれば、図６に示されるブロック６０２ないし６０８は、図７に示される機能手段ブロック７０２ないし７０８に対応する。
【００３５】
図８は、無線デバイス８０１内に含まれることができるある種のコンポーネントを示している。無線デバイス８０１は、加入者局１０４、またはアクセスポイント１０２とすることができる。無線デバイス８０１はＬＲデータ送信２２６のできるデバイスとすることができる。
【００３６】
無線デバイス８０１は、プロセッサ８０３を含んでいる。プロセッサ８０３は、汎用のシングルチップまたはマルチチップのマイクロプロセッサ（例えば、ＡＲＭ）、専用マイクロプロセッサ（例えば、デジタル信号プロセッサ（ＤＳＰ））、マイクロコントローラ、プログラマブルゲートアレイなどとすることができる。プロセッサ８０３は、中央演算処理装置（ＣＰＵ）と称されることができる。ただ単一のプロセッサ８０３が、図８の無線デバイス８０１の中に示されているが、代替コンフィギュレーションにおいては、プロセッサの組合せ（例えば、ＡＲＭおよびＤＳＰ）が、使用されることができる。
【００３７】
無線デバイス８０１は、メモリ８０５も含んでいる。メモリ８０５は、電子情報を記憶することができる任意の電子コンポーネントとすることができる。メモリ８０５は、ランダムアクセスメモリ（ＲＡＭ）と、リードオンリーメモリ（ＲＯＭ）と、磁気ディスクストレージ媒体と、光ストレージ媒体と、ＲＡＭの中のフラッシュメモリデバイスと、プロセッサと共に含まれるオンボードメモリと、ＥＰＲＯＭメモリと、ＥＥＰＲＯＭメモリと、レジスタなどと、として、それらの組合せを含めて、実施されることができる。
【００３８】
データ８０７と、命令８０９とは、メモリ８０５に記憶されることができる。命令８０９は、ここにおいて開示される方法をインプリメントするようにプロセッサ８０３によって実行可能とすることができる。命令８０９を実行することは、メモリ８０５に記憶されるデータ８０７の使用を伴う可能性がある。
【００３９】
無線デバイス８０１はまた、無線デバイス８０１と、リモートロケーションとの間の信号の送信および受信を可能にするトランスミッタ８１１と、レシーバ８１３とを含むこともできる。トランスミッタ８１１と、レシーバ８１３とは、トランシーバ８１５と一括して称されることができる。アンテナ８１７は、トランシーバ８１５に電気的に結合されることができる。無線デバイス８０１は、複数のトランスミッタ、複数のレシーバ、複数のトランシーバ、および／または複数のアンテナを含むこともできる（図示されず）。
【００４０】
無線デバイス８０１の様々なコンポーネントは、１つまたは複数のバスによって一緒に結合されることができ、これらのバスは、電力バス、制御信号バス、ステータス信号バス、データバスなどを含むことができる。明確にするために、様々なバスは、図８において、バスシステム８１９として示される。
【００４１】
用語「決定すること(determining)」は、多種多様なアクションを包含し、そしてそれ故に、「決定すること」は、算出すること、計算すること、処理すること、導き出すこと、調査すること、調べること（例えば、テーブル、データベース、または別のデータ構造の中で調べること）、確認することなどを含むことができる。また、「決定すること」は、受信すること（例えば、情報を受信すること）、アクセスすること（例えば、メモリの中のデータにアクセスすること）などを含むこともできる。また、「決定すること」は、解決すること、選択すること、選ぶこと、確立することなどを含むこともできる。
【００４２】
熟語「に基づいて(based on)」は、それ以外の方法で明示的に指定されない限り、「だけに基づいて(based only on)」を意味してはいない。言い換えれば、熟語「に基づいて」は、「だけに基づいて」と、「に少なくとも基づいて(based at least on)」との両方を説明する。
【００４３】
用語「プロセッサ」は、汎用プロセッサ、中央演算処理装置（ＣＰＵ）、マイクロプロセッサ、デジタル信号プロセッサ（ＤＳＰ）、コントローラ、マイクロコントローラ、状態機械などを包含するように広く解釈されるべきである。いくつかの状況の下では、「プロセッサ」は、特定用途向け集積回路（ＡＳＩＣ）、プログラマブル論理デバイス（ＰＬＤ）、フィールドプログラマブルゲートアレイ（ＦＰＧＡ）などを意味することができる。用語「プロセッサ」は、処理デバイスの組合せ、例えば、ＤＳＰとマイクロプロセッサとの組合せ、複数のマイクロプロセッサ、ＤＳＰコアと組み合わされた１つまたは複数のマイクロプロセッサ、あるいは他のそのような任意のコンフィギュレーション、を意味することができる。
【００４４】
用語「メモリ」は、電子情報を記憶することができる任意の電子コンポーネントを包含するように広く解釈されるべきである。用語メモリは、ランダムアクセスメモリ（ＲＡＭ）、リードオンリーメモリ（ＲＯＭ）、不揮発性ランダムアクセスメモリ（ＮＶＲＡＭ）、プログラマブルリードオンリーメモリ（ＰＲＯＭ）、消去可能プログラマブルリードオンリーメモリ（ＥＰＲＯＭ）、電気的消去可能ＰＲＯＭ（ＥＥＰＲＯＭ）、フラッシュメモリ、磁気または光のデータストレージ、レジスタなど、様々なタイプのプロセッサ可読媒体を意味することができる。プロセッサが、メモリから情報を読み取り、かつ／またはメモリに情報を書き込むことができる場合に、メモリは、プロセッサと電子通信していると言われる。プロセッサと一体になったメモリは、プロセッサと電子通信している。
【００４５】
用語「命令」と「コード」とは、任意のタイプのコンピュータ可読ステートメント（単数または複数）を含むように、広く解釈されるべきである。例えば、用語「命令」と「コード」とは、１つまたは複数のプログラム、ルーチン、サブルーチン、ファンクション、プロシージャなどを意味することができる。「命令」と「コード」とは、単一のコンピュータ可読ステートメント、または多数のコンピュータ可読ステートメントを備えることができる。
【００４６】
ここにおいて説明される機能は、ハードウェア、ソフトウェア、ファームウェア、またはそれらの任意の組合せの形でインプリメントされることができる。ソフトウェアの形でインプリメントされる場合、機能は、コンピュータ可読媒体上に１つまたは複数の命令として記憶されることができる。用語「コンピュータ可読媒体」は、コンピュータによってアクセスされることができる使用可能な任意の媒体を意味する。例として、限定するものではないが、コンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態で望ましいプログラムコードを搬送し、または記憶するために使用されることができ、そしてコンピュータによってアクセスされることができる他の任意の媒体、を備えることができる。ここにおいて使用されるようなディスク(Disk)およびディスク(disc)は、コンパクトディスク（ＣＤ）、レーザーディスク(登録商標)、光ディスク、デジタル多用途ディスク（ＤＶＤ）、フロッピー（登録商標）ディスク、およびブルーレイ(Blu-ray)（登録商標）ディスク(disc)を含み、ここでディスク(disks)は通常、データを磁気的に再生するが、ディスク(discs)は、レーザを用いて光学的にデータを再生する。
【００４７】
ソフトウェアまたは命令は、伝送媒体上を送信されることもできる。例えば、ソフトウェアが、同軸ケーブル、光ファイバケーブル、ツイストペア(twisted pair)、デジタル加入者回線（ＤＳＬ）、または赤外線、無線、マイクロ波などの無線技術を使用して、ウェブサイト、サーバ、または他のリモートソースから送信される場合、そのときには同軸ケーブル、光ファイバケーブル、ツイストペア、ＤＳＬ、または赤外線、無線、マイクロ波などの無線技術は、伝送媒体の定義の中に含まれる。
【００４８】
ここにおいて開示される方法は、説明された方法を達成するための１つまたは複数のステップまたはアクションを備える。方法のステップおよび／またはアクションは、特許請求の範囲についての範囲を逸脱することなく互いに交換されることができる。言い換えれば、ステップまたはアクションの特定の順序が、説明されている方法の適切なオペレーションのために必要とされない限り、特定のステップおよび／またはアクションの順序および／または使用は、特許請求の範囲についての範囲を逸脱することなく修正されることができる。
【００４９】
さらに、図４および６によって示されるものなど、ここにおいて説明される方法および技法を実行するためのモジュール、および／または他の適切な手段は、ダウンロードされ、かつ／またはそれ以外の方法でデバイスによって取得されることができることを理解すべきである。例えば、デバイスは、ここにおいて説明される方法を実行するための手段の転送を容易にするために、サーバに結合されることができる。代わりに、ここにおいて説明される様々な方法は、デバイスが、ストレージ手段をデバイスに結合し、または提供するとすぐに様々な方法を取得することができるように、ストレージ手段（例えば、ランダムアクセスメモリ（ＲＡＭ）、リードオンリーメモリ（ＲＯＭ）、コンパクトディスク（ＣＤ）やフロッピー（登録商標）ディスクなどの物理ストレージ媒体など）を経由して提供されることができる。さらに、ここにおいて説明される方法および技法をデバイスに対して提供するための他の適切な任意の技法が、利用されることができる。
【００５０】
特許請求の範囲は、上記に例示される正確なコンフィギュレーションおよびコンポーネントだけに限定されるものでないことを理解すべきである。様々な修正、変更、および変形が、特許請求の範囲についての範囲を逸脱することなく、ここにおいて説明されるシステム、方法、および装置の構成、オペレーション、および詳細において行われることができる。
下記に、本願出願時の請求項１−５１に対応する記載が付記１−５１として表記される。
付記１
来るべきデータ送信について近隣デバイスに通知するための方法であって、
スケジュールされた時間を得ることと、
前記スケジュールされた時間の固定期間内にレガシー保護フレームを送信することと、
を備え、前記レガシー保護フレームは、前記近隣デバイスによって復号されることができる、方法。
付記２
前記データ送信は、長距離（ＬＲ）データ送信である、付記１に記載の方法。
付記３
前記レガシー保護フレームは、送信可（ＣＴＳ）フレームを備える、付記１に記載の方法。
付記４
前記固定期間の後に長距離（ＬＲ）データ送信を送信すること、をさらに備える付記２に記載の方法。
付記５
前記固定期間の後に長距離（ＬＲ）データ送信を受信すること、をさらに備える付記２に記載の方法。
付記６
前記レガシー保護フレームは、バックオフ期間の後に送信される、付記１に記載の方法。
付記７
前記バックオフ期間は、固定されている、付記６に記載の方法。
付記８
前記の得ることと、前記の送信することとは、アクセスポイント（ＡＰ）によって実行される、付記１に記載の方法。
付記９
前記ＡＰは、８０２．１１ｎデバイスを備える、付記８に記載の方法。
付記１０
前記の得ることと、前記の送信することとは、加入者局（ＳＴＡ）によって実行される、付記１に記載の方法。
付記１１
前記ＳＴＡは、８０２．１１ｎデバイスを備える、付記１０に記載の方法。
付記１２
前記近隣デバイスは、８０２．１１ｎデバイスではない、付記１に記載の方法。
付記１３
前記レガシー保護フレームは、ネットワーク割付けベクトル（ＮＡＶ）を設定する、付記１に記載の方法。
付記１４
前記ＣＴＳフレームは、ネットワーク割付けベクトル（ＮＡＶ）を設定する、付記３に記載の方法。
付記１５
前記レガシー保護フレームは、前記近隣デバイスが、ある期間にわたって送信しないようにさせる、付記１に記載の方法。
付記１６
前記ＮＡＶは、前記固定期間よりも長い、付記１４に記載の方法。
付記１７
前記固定期間は、前記レガシー保護フレームを送信するのに必要とされる時間よりも長い、付記１に記載の方法。
付記１８
一対のデバイスによって実行される付記１に記載の方法。
付記１９
来るべき長距離（ＬＲ）データ送信について近隣デバイスに通知するように構成された無線デバイスであって、
プロセッサと、
前記プロセッサに結合され、
スケジュールされた時間を得るように、そして
前記スケジュールされた時間の固定期間内にレガシー保護フレームを送信するように、構成された
回路と、
を備え、前記レガシー保護フレームは、前記近隣デバイスによって復号されることができる、無線デバイス。
付記２０
前記レガシー保護フレームは、送信可（ＣＴＳ）フレームを備える、付記１９に記載の無線デバイス。
付記２１
前記固定期間の後にＬＲデータ送信を送信するように構成された回路、をさらに備える付記１９に記載の無線デバイス。
付記２２
前記レガシー保護フレームは、バックオフ期間の後に送信される、付記１９に記載の無線デバイス。
付記２３
前記固定期間の後に通常データ送信を送信するように構成された回路、をさらに備える付記１９に記載の無線デバイス。
付記２４
アクセスポイント（ＡＰ）を備える付記１９に記載の無線デバイス。
付記２５
前記ＡＰは、８０２．１１ｎデバイスを備える、付記２４に記載の無線デバイス。
付記２６
加入者局（ＳＴＡ）を備える付記１９に記載の無線デバイス。
付記２７
前記ＳＴＡは、８０２．１１ｎデバイスを備える、付記２６に記載の無線デバイス。
付記２８
前記近隣デバイスは、８０２．１１ｎデバイスではない、付記１９に記載の無線デバイス。
付記２９
前記レガシー保護フレームは、ネットワーク割付けベクトル（ＮＡＶ）を設定する、付記１９に記載の無線デバイス。
付記３０
前記ＣＴＳフレームは、ネットワーク割付けベクトル（ＮＡＶ）を設定する、付記２０に記載の無線デバイス。
付記３１
前記レガシー保護フレームは、前記近隣デバイスが、ある期間にわたって送信しないようにさせる、付記１９に記載の無線デバイス。
付記３２
前記ＮＡＶは、前記固定期間よりも長い、付記３０に記載の無線デバイス。
付記３３
前記固定期間は、前記レガシー保護フレームを送信するのに必要とされる時間よりも長い、付記１９に記載の無線デバイス。
付記３４
来るべき長距離（ＬＲ）データ送信について近隣デバイスに通知するように構成された装置であって、
スケジュールされた時間を得るための手段と、
前記スケジュールされた時間の固定期間内にレガシー保護フレームを送信するための手段と、
を備え、前記レガシー保護フレームは、前記近隣デバイスによって復号されることができる、装置。
付記３５
前記レガシー保護フレームは、送信可（ＣＴＳ）フレームを備える、付記３４に記載の装置。
付記３６
前記固定期間の後にＬＲデータ送信を送信するための手段、をさらに備える付記３４に記載の装置。
付記３７
前記レガシー保護フレームは、バックオフ期間の後に送信される、付記３４に記載の装置。
付記３８
前記固定期間の後に通常データ送信を送信するための手段、をさらに備える付記３４に記載の装置。
付記３９
得るための前記手段と、送信するための前記手段とは、アクセスポイント（ＡＰ）によって実行される、付記３４に記載の装置。
付記４０
前記ＡＰは、８０２．１１ｎデバイスを備える、付記３９に記載の装置。
付記４１
得るための前記手段と、送信するための前記手段とは、加入者局（ＳＴＡ）によって実行される、付記３４に記載の装置。
付記４２
前記ＳＴＡは、８０２．１１ｎデバイスを備える、付記４１に記載の方法。
付記４３
前記近隣デバイスは、８０２．１１ｎデバイスではない、付記３４に記載の装置。
付記４４
前記レガシー保護フレームは、ネットワーク割付けベクトル（ＮＡＶ）を設定する、付記３４に記載の装置。
付記４５
前記ＣＴＳフレームは、ネットワーク割付けベクトル（ＮＡＶ）を設定する、付記３５に記載の装置。
付記４６
前記レガシー保護フレームは、前記近隣デバイスが、ある期間にわたって送信しないようにさせる、付記３４に記載の装置。
付記４７
前記ＮＡＶは、前記固定期間よりも長い、付記４５に記載の装置。
付記４８
前記固定期間は、前記レガシー保護フレームを送信するのに必要とされる時間よりも長い、付記３４に記載の装置。
付記４９
来るべき長距離（ＬＲ）データ送信について近隣デバイスに通知するためのコンピュータプログラムプロダクトであって、その上に命令を有するコンピュータ可読媒体を備え、
前記命令は、
スケジュールされた時間を得るためのコードと、
前記スケジュールされた時間の固定期間内にレガシー保護フレームを送信するためのコードと、
を備え、前記レガシー保護フレームは、前記近隣デバイスによって復号されることができる、コンピュータプログラムプロダクト。
付記５０
前記の得ることと、前記の送信することとは、前記固定期間の後に長距離（ＬＲ）データ送信を送信するデバイスによって実行される、付記４９に記載のコンピュータプログラムプロダクト。
付記５１
前記の得ることと、前記の送信することとは、前記固定期間の後に長距離（ＬＲ）データ送信を受信するデバイスによって実行される、付記５０に記載のコンピュータプログラムプロダクト。
【図１】
0005335918.tif 000002
【図２】
0005335918.tif 000003
【図３】
0005335918.tif 000004
【図４】
0005335918.tif 000005
【図５】
0005335918.tif 000006
【図６】
0005335918.tif 000007
【図７】
0005335918.tif 000008
【図８】
0005335918.tif 000009